(57)【要約】【課題】電気機器が使用されることに応じて、ポイントを付与する仕組みを提供する。【解決手段】ポイント付与システムは、購入者が購入した電気機器と、前記電気機器に電力を供給する配線用差込接続器とが接続されることに応じて、前記電気機器に関する電気機器情報を取得する機器情報取得部と、前記機器情報取得部が取得する前記電気機器情報に基づいて、前記電気機器を購入することに応じて付与されるポイントに関するポイント情報を取得するポイント情報取得部と、前記ポイント情報取得部が取得する前記ポイント情報に基づいて、前記購入者に前記ポイントを付与するポイント付与部と、を備える。【選択図】図１
2018041371.tif 000002
【特許請求の範囲】
【請求項１】
購入者が購入した電気機器と、前記電気機器に電力を供給する配線用差込接続器とが接続されることに応じて、前記電気機器に関する電気機器情報を取得する機器情報取得部と、
前記機器情報取得部が取得する前記電気機器情報に基づいて、前記電気機器を購入することに応じて付与されるポイントに関するポイント情報を取得するポイント情報取得部と、
前記ポイント情報取得部が取得する前記ポイント情報に基づいて、前記購入者に前記ポイントを付与するポイント付与部と、
を備えるポイント付与システム。
【請求項２】
前記ポイントとは、
前記購入者の電力使用料金の支払いに使用されるポイントである
請求項１に記載のポイント付与システム。
【請求項３】
前記購入者が使用する電力の供給者を示す供給者情報を取得する供給者情報取得部と、
前記供給者情報取得部が取得する前記供給者情報に基づいて、前記ポイントを前記購入者に付与するか否かを判定する付与判定部と、
を更に備え、
前記ポイント付与部は、
前記付与判定部の判定結果が前記購入者に前記ポイントを付与することを示す場合、前記ポイント情報に基づいて、前記購入者に前記ポイントを付与する
請求項１又は請求項２に記載のポイント付与システム。
【請求項４】
コンピュータに、
購入者が購入した電気機器と、前記電気機器に電力を供給する配線用差込接続器とが接続されることに応じて、前記電気機器に関する電気機器情報を取得する機器情報取得ステップと、
前記機器情報取得ステップが取得する前記電気機器情報に基づいて、前記電気機器を購入することに応じて付与されるポイントに関するポイント情報を取得するポイント情報取得ステップと、
前記ポイント情報取得ステップが取得する前記ポイント情報に基づいて、前記購入者に前記ポイントを付与するポイント付与ステップと、
を実行させるためのポイント付与プログラム。
【発明の詳細な説明】
【技術分野】
【０００１】
本発明は、ポイント付与システム及びポイント付与プログラムに関する。
【背景技術】
【０００２】
従来、商品の購入やサービスの購入又はサービスの利用時にポイントカードを提示するユーザにポイントを付与するポイントサービスに関する技術が知られている（例えば、特許文献１）。
【先行技術文献】
【特許文献】
【０００３】
【特許文献１】特開２０１４−７５９６９号公報
【発明の概要】
【発明が解決しようとする課題】
【０００４】
ここで、電力を供給する供給者には、供給する電力の使用料金の支払いにポイントを使用するサービスを提供することが求められる場合がある。また、供給者には、供給する電力を省エネルギーで使用することができる電気機器や、供給者が使用を推奨する電気機器が購入され、使用される場合にポイントを付与する仕組みが求められる場合がある。
しかしながら、特許文献１に記載の従来の技術では、購入者が商品等を購入することに応じてポイントを付与することができても、当該商品が使用されることに応じてポイントを付与することまでは困難である場合があった。
本発明は、上記問題に鑑みて為されたものであり、電気機器が使用されることに応じて、ポイントを付与する仕組みを提供することを目的とする。
【課題を解決するための手段】
【０００５】
本発明の一態様は、購入者が購入した電気機器と、前記電気機器に電力を供給する配線用差込接続器とが接続されることに応じて、前記電気機器に関する電気機器情報を取得する機器情報取得部と、前記機器情報取得部が取得する前記電気機器情報に基づいて、前記電気機器を購入することに応じて付与されるポイントに関するポイント情報を取得するポイント情報取得部と、前記ポイント情報取得部が取得する前記ポイント情報に基づいて、前記購入者に前記ポイントを付与するポイント付与部と、を備えるポイント付与システムである。
【０００６】
また、本発明の一態様のポイント付与システムにおいて、前記ポイントとは、前記購入者の電力使用料金の支払いに使用されるポイントである。
【０００７】
また、本発明の一態様のポイント付与システムにおいて、前記購入者が使用する電力の供給者を示す供給者情報を取得する供給者情報取得部と、前記供給者情報取得部が取得する前記供給者情報に基づいて、前記ポイントを前記購入者に付与するか否かを判定する付与判定部と、を更に備え、前記ポイント付与部は、前記付与判定部の判定結果が前記購入者に前記ポイントを付与することを示す場合、前記ポイント情報に基づいて、前記購入者に前記ポイントを付与する。
【０００８】
本発明の一態様は、コンピュータに購入者が購入した電気機器と、前記電気機器に電力を供給する配線用差込接続器とが接続されることに応じて、前記電気機器に関する電気機器情報を取得する機器情報取得ステップと、前記機器情報取得ステップが取得する前記電気機器情報に基づいて、前記電気機器を購入することに応じて付与されるポイントに関するポイント情報を取得するポイント情報取得ステップと、前記ポイント情報取得ステップが取得する前記ポイント情報に基づいて、前記購入者に前記ポイントを付与するポイント付与ステップと、を実行させるためのポイント付与プログラムである。
【発明の効果】
【０００９】
本発明によれば、エネルギーの使用料金の支払いにポイントを使用する仕組みを提供することができる。
【図面の簡単な説明】
【００１０】
【図１】第１実施形態のポイント付与システムの概要を示す図である。
【図２】第１実施形態のポイント付与システムの構成の一例を示す図である。
【図３】第１実施形態の販売履歴情報の一例を示す表である。
【図４】第１実施形態の契約者ポイント情報の一例を示す表である。
【図５】第１実施形態のポイント付与システムの動作の一例を示す流れ図である。
【図６】第２実施形態のポイント付与システムの概要を示す図である。
【図７】第２実施形態のポイント付与システムの構成の一例を示す図である。
【発明を実施するための形態】
【００１１】
［第１実施形態］
以下、図を参照して本発明の実施形態について説明する。
図１は、本実施形態のポイント付与システム１の概要を示す図である。
ポイント付与システム１は、ポイント付与装置１０と、管理装置２０とを備える。
ポイント付与装置１０と、管理装置２０と、家電量販店ＥＳとは、情報の送受信が可能なネットワークＮを介して接続される。
【００１２】
［管理装置について］
図１に示す通り、管理装置２０は、家屋Ｈに備えられる。家屋Ｈとは、購入者ＢＹが居住する住宅及びマンション等である。購入者ＢＹとは、家電量販店ＥＳにおいて電気機器ＥＱを購入する顧客である。この一例では、購入者ＢＹがＡさんである場合について説明する。また、この一例では、Ａさんは、家屋Ｈに居住する場合について説明する。
Ａさんは、家屋Ｈで使用する電気機器ＥＱを家電量販店ＥＳにおいて購入する。Ａさんは、例えば、家屋Ｈで使用するエアコンＡＣを家電量販店ＥＳにおいて購入する。ここで、エアコンＡＣとは、電気機器ＥＱの一例である。
【００１３】
購入者ＢＹは、当該購入者ＢＹが購入した電気機器ＥＱと、電気機器ＥＱに電力を供給する配線用差込接続器とを接続する。配電線用差込接続器とは、例えば、コンセントＰＧである。具体的には、Ａさんは、家電量販店ＥＳにおいて購入したエアコンＡＣを家屋Ｈで使用する際に、エアコンＡＣをコンセントＰＧに接続する。エアコンＡＣは、コンセントＰＧから電力が供給され、動作する。エアコンＡＣは、コンセントＰＧに接続され、動作することに応じて当該エアコンＡＣに関する電気機器情報ＥＩを管理装置２０に供給する。電気機器情報ＥＩとは、電気機器情報ＥＩを送信する電気機器ＥＱに関する情報である。電気機器情報ＥＩとは、例えば、電気機器ＥＱの名称と、シリアル情報ＥＳＩとが関連付けられている情報である。シリアル情報ＥＳＩとは、電気機器ＥＱを識別する情報である。シリアル情報ＥＳＩとは、例えば、電気機器ＥＱの製造番号である。この一例では、電気機器ＥＱがエアコンＡＣであるため、エアコンＡＣの名称と、当該エアコンＡＣのシリアル情報ＥＳＩである「ＡＣ−００１」とが関連付けられた電気機器情報ＥＩが管理装置２０に供給される。
【００１４】
エアコンＡＣは、既知の方法によって管理装置２０に電気機器情報ＥＩを送受信する。具体的には、エアコンＡＣと、管理装置２０とは、有線又は無線による家屋Ｈ内のＬＡＮ（Ｌｏｃａｌ  Ａｒｅａ  Ｎｅｔｗｏｒｋ）によって情報を送受信する機能を備える。エアコンＡＣは、エアコンＡＣがコンセントＰＧに接続され、電力が供給されることに応じて電気機器情報ＥＩを家屋Ｈ内のＬＡＮによって管理装置２０に送信する。管理装置２０は、電気機器情報ＥＩから取得した管理装置２０をネットワークＮを介してポイント付与装置１０に送信する。
ここで、管理装置２０は、電気機器情報ＥＩの送信の他、家屋Ｈで使用される電気機器ＥＱが使用する電力や、家屋Ｈが備える発電設備の電力の発電状態に関する情報を収集してもよい。管理装置２０は、収集した家屋Ｈで使用される電力や、発電設備が発電する電力をディスプレイ等に表示して、家屋Ｈの居住者に家屋Ｈの電力の状態として示してもよい。
【００１５】
なお、上述では、エアコンＡＣが管理装置２０に家屋Ｈ内のＬＡＮを介して電気機器情報ＥＩを送信する場合について説明したが、これに限られない。例えば、管理装置２０には、家屋Ｈで使用される電気機器ＥＱに関する電気機器情報ＥＩが予め記憶されていてもよい。この場合、コンセントＰＧは、電気機器ＥＱの接続の有無を検出する検出器を備えており、当該検出器が電気機器ＥＱの接続の有無を検出してもよい。また、コンセントＰＧが備える検出器が、電気機器ＥＱが接続されることを示す情報を管理装置２０に供給してもよい。また、管理装置２０は、コンセントＰＧが備える検出器が電気機器ＥＱが接続されることを検出することに応じて、ポイント付与装置１０に電気機器情報ＥＩを送信してもよい。
【００１６】
また、エアコンＡＣと、管理装置２０とが家屋Ｈ内のＬＡＮによって情報を送受信する機能に代えて、エアコンＡＣと、管理装置２０とがＰＬＣ（Ｐｏｗｅｒ  Ｌｉｎｅ  Ｃｏｍｍｕｎｉｃａｔｉｏｎ）又はＰＬＣ以外の電力線通信によって情報を送受信する構成であってもよい。この場合、エアコンＡＣは、管理装置２０にＰＬＣ又はＰＬＣ以外の電力線通信を介して電気機器情報ＥＩを送信する。
【００１７】
［家電量販店について］
家電量販店ＥＳは、購入情報サーバＳＶ１を備える。購入情報サーバＳＶ１とは、家電量販店ＥＳにおいて行われた販売の履歴を示す販売履歴情報ＳＬを記録するサーバ装置である。購入情報サーバＳＶ１には、家電量販店ＥＳにおいて販売された電気機器ＥＱに関する販売履歴情報ＳＬが記憶される。販売履歴情報ＳＬには、電気機器ＥＱを購入することによって当該電気機器ＥＱの購入者ＢＹに付与されるポイントを示す情報が記憶される。ここで、ポイントとは、電気機器ＥＱ毎に付される点数であって、様々なことに使用することが可能な点数である。例えば、ポイントとは、家電量販店ＥＳにおいて電気機器ＥＱを購入する際の支払いに使用することができる点数である。また、例えば、ポイントとは、電気機器ＥＱが家屋Ｈにおいて使用されることに伴って生じる電力の使用料金の支払いに使用することができる点数である。
この一例では、ポイントが、家屋Ｈにおいて使用される電力の使用料金の支払いに使用することができる点数である場合について説明する。換言すると、この一例では、ポイントは、購入者ＢＹの電力使用料金の支払いに使用される。
【００１８】
［ポイント付与装置について］
ポイント付与装置１０は、供給者ＥＣの社屋等に備えられる。供給者ＥＣとは、当該供給者ＥＣとエネルギーの使用契約を結ぶ契約者ＡＰに、電気、ガス、水道等のエネルギーの供給を行う事業者である。この一例では、供給者ＥＣが電力供給会社である場合について説明する。電力供給会社には、一般電気事業者及び小売電気事業者が含まれる。
Ａさんは、供給者ＥＣから供給される電力を家屋Ｈで使用する。したがって、Ａさんは、供給者ＥＣと電力の使用契約を結ぶ契約者ＡＰである。つまり、Ａさんは、家電量販店ＥＳの購入者ＢＹであって、供給者ＥＣの契約者ＡＰである。
ポイント付与装置１０は、ネットワークＮを介して管理装置２０から電気機器情報ＥＩを取得する。また、ポイント付与装置１０は、ネットワークＮを介して家電量販店ＥＳが備える購入情報サーバＳＶ１からポイント情報ＰＩを取得する。ポイント情報ＰＩとは、電気機器ＥＱを購入することに応じて購入者ＢＹに付与されるポイントに関する情報である。
ポイント付与装置１０は、電気機器情報ＥＩと、ポイント情報ＰＩとに基づき、電気機器情報ＥＩが示す電気機器ＥＱにポイントが付されており、かつ当該電気機器ＥＱが購入者ＢＹの家屋Ｈで使用される場合、当該電気機器ＥＱの購入者ＢＹにポイントを付与する。
【００１９】
［ポイント付与システムの構成について］
以下、図を参照してポイント付与システム１の構成について説明する。
図２は、本実施形態のポイント付与システム１の構成の一例を示す図である。
上述したように、管理装置２０と電気機器ＥＱとは、家屋Ｈ内のＬＡＮによって接続される。電気機器ＥＱは、当該電気機器ＥＱがコンセントＰＧに接続されることに応じて電気機器情報ＥＩを管理装置２０に送信する。
【００２０】
［管理装置の構成］
管理装置２０は、制御部２００を備える。制御部２００は、ＣＰＵ（Ｃｅｎｔｒａｌ  Ｐｒｏｃｅｓｓｉｎｇ  Ｕｎｉｔ）を備えており、機器情報取得部２０１と、機器情報送信部２０２とをその機能部として備える。
機器情報取得部２０１は、電気機器ＥＱから電気機器情報ＥＩを取得する。機器情報取得部２０１は、取得した電気機器情報ＥＩを機器情報送信部２０２に供給する。
機器情報送信部２０２は、機器情報取得部２０１から取得した電気機器情報ＥＩをポイント付与装置１０にネットワークＮを介して送信する。
【００２１】
［ポイント付与装置の構成について］
ポイント付与装置１０は、制御部１００と、記憶部３００とを備える。制御部１００は、ＣＰＵを備えており、付与装置受信部１０１と、ポイント情報取得部１０２と、ポイント付与部１０３とをその機能部として備える。
付与装置受信部１０１は、管理装置２０から電気機器情報ＥＩを受信する。付与装置受信部１０１は、受信した電気機器情報ＥＩをポイント情報取得部１０２に供給する。
ポイント情報取得部１０２は、機器情報取得部２０１が取得する電気機器情報ＥＩに基づいて、ポイント情報ＰＩを取得する。具体的には、ポイント情報取得部１０２は、付与装置受信部１０１から取得した電気機器情報ＥＩに基づいて、購入情報サーバＳＶ１に記憶される販売履歴情報ＳＬのうち、当該電気機器情報ＥＩが示す電気機器ＥＱに関するポイント情報ＰＩを取得する。
【００２２】
［販売履歴情報について］
以下、図３を参照して販売履歴情報ＳＬについて説明する。
図３は、本実施形態の販売履歴情報ＳＬの一例を示す表である。
上述したように、販売履歴情報ＳＬは、家電量販店ＥＳにおいて電気機器ＥＱが販売された履歴を示す情報である。この一例では、販売履歴情報ＳＬには、購入者識別情報ＩＤと、電気機器ＥＱの名称と、シリアル情報ＥＳＩと、ポイント数情報ＰＣＩとが含まれる。
購入者識別情報ＩＤとは、電気機器ＥＱを購入する購入者ＢＹを識別する情報である。購入者識別情報ＩＤは、家電量販店ＥＳにおいて電気機器ＥＱを購入する購入者ＢＹ毎に異なる。例えば、Ａさんの購入者識別情報ＩＤは、「０００１」である。また、Ａさんとは異なる購入者ＢＹであるＢさんの購入者識別情報ＩＤは、「０００２」である。
ここで、購入者識別情報ＩＤは、例えば、家電量販店ＥＳの特売のお知らせを送付することや、家電量販店ＥＳにおいて購入した電気機器ＥＱの配達することを目的として、購入者ＢＹから取得した個人情報毎に付される情報である。
【００２３】
電気機器ＥＱの名称とは、例えば、電気機器ＥＱの製品名である。この一例では、Ａさんが購入した電気機器ＥＱの製品名が「エアコンＡＣ」である。また、Ｂさんの購入した電気機器ＥＱの製品名が「炊飯器」である。
上述したように、シリアル情報ＥＳＩとは、電気機器ＥＱを識別する情報である。この一例では、Ａさんが購入したエアコンＡＣのシリアル情報ＥＳＩが「ＡＣ−００１」である。また、Ｂさんが購入した炊飯器のシリアル情報ＥＳＩが「ＲＣ−２２２」である。
ポイント数情報ＰＣＩとは、電気機器ＥＱに付されるポイントの数を電気機器ＥＱ毎に示す情報である。この一例では、Ａさんが購入した電気機器ＥＱにはポイントが「１００」が付される。また、Ｂさんが購入した電気機器ＥＱには、ポイントが「５０」付される。「エアコンＡＣ」がＡさんの家屋Ｈで使用される場合、Ａさんには、１００ポイントが付与される。「炊飯器」がＢさんの家屋Ｈで使用される場合、Ｂさんには、５０ポイントが付与される。
【００２４】
この一例では、ポイント情報ＰＩには、ある電気機器ＥＱの購入者識別情報ＩＤ、電気機器ＥＱの名称、シリアル情報ＥＳＩ及びポイント数情報ＰＣＩが含まれる。また、販売履歴情報ＳＬには、複数のポイント情報ＰＩが含まれる。
以降の説明において、販売履歴情報ＳＬに含まれるポイント情報ＰＩのうち、Ａさんの購入者識別情報ＩＤ「０００１」、電気機器ＥＱの名称「エアコンＡＣ」、シリアル情報ＥＳＩ「ＡＣ―００１」及びポイント数情報ＰＣＩ「１００」を含むポイント情報ＰＩをポイント情報ＰＩ１と記載する。また、販売履歴情報ＳＬに含まれるポイント情報ＰＩのうち、Ｂさんの購入者識別情報ＩＤ「０００２」、電気機器ＥＱの名称「炊飯器」、シリアル情報ＥＳＩ「ＲＣ−２２２」及びポイント数情報ＰＣＩ「５０」を含むポイント情報ＰＩをポイント情報ＰＩ２と記載する。
【００２５】
［ポイント付与装置の構成について］
図２に戻り、ポイント情報取得部１０２は、付与装置受信部１０１から取得した電気機器情報ＥＩに基づいて、電気機器情報ＥＩに含まれるシリアル情報ＥＳＩと同一のシリアル情報ＥＳＩが含まれるポイント情報ＰＩを取得する。この一例では、電気機器情報ＥＩには、シリアル情報ＥＳＩ「ＡＣ―００１」が含まれるため、ポイント情報取得部１０２は、販売履歴情報ＳＬからポイント情報ＰＩ１を取得する。
ポイント情報取得部１０２は、取得したポイント情報ＰＩをポイント付与部１０３に供給する。この一例では、ポイント情報取得部１０２は、取得したポイント情報ＰＩ１をポイント付与部１０３に供給する。
【００２６】
ポイント付与部１０３は、ポイント情報取得部１０２からポイント情報ＰＩを取得する。ポイント付与部１０３は、取得したポイント情報ＰＩに基づいて、購入者ＢＹにポイントを付与する。具体的には、ポイント付与部１０３は、電気機器情報ＥＩを送信する管理装置２０が備えられる家屋Ｈの電力の契約者ＡＰである購入者ＢＹに、ポイント情報ＰＩに含まれる情報のうち、ポイント数情報ＰＣＩが示すポイントの数だけポイントを付与する。例えば、ポイント付与部１０３は、管理装置２０を備える家屋Ｈの電力の契約者ＡＰを識別する契約者識別情報ＡＩＤと、ポイント情報ＰＩに含まれるポイント数情報ＰＣＩとを関連付けて記憶部３００に記憶させる。ここで、契約者識別情報ＡＩＤとは、管理装置２０を備える家屋Ｈの契約者ＡＰを識別する情報である。
【００２７】
ポイント付与装置１０は、既知の方法によって、電気機器情報ＥＩを送信する管理装置２０を備える家屋Ｈの契約者ＡＰを識別する。例えば、電気機器情報ＥＩには、管理装置２０を備える家屋Ｈの契約者ＡＰを特定することが可能な情報が含まれる。家屋Ｈの契約者ＡＰを特定することが可能な情報とは、例えば、家屋Ｈが電気機器情報ＥＩを送信する際のネットワークアドレスや、家屋Ｈの居所、契約者ＡＰの氏名及び契約者ＡＰの電話番号等の情報である。
また、以降の説明において、契約者識別情報ＡＩＤと、ポイント数情報ＰＣＩとを関連づけた情報を契約者ポイント情報ＰＮと記載する。したがって、ポイント付与部１０３は取得したポイント情報ＰＩに基づいて、記憶部３００に契約者ポイント情報ＰＮを記憶させる。
この一例では、ポイント付与部１０３は、Ａさんの契約者識別情報ＡＩＤと、ポイント情報ＰＩ１に含まれるポイント数情報ＰＣＩとを契約者ポイント情報ＰＮとして記憶部３００に記憶させる。
【００２８】
［契約者ポイント情報ＰＮ］
以下、図４を参照して契約者ポイント情報ＰＮについて説明する。
図４は、本実施形態の契約者ポイント情報ＰＮの一例を示す表である。
上述したように契約者ポイント情報ＰＮは、契約者識別情報ＡＩＤと、ポイント数情報ＰＣＩとが関連付けられた情報である。
この一例では、供給者ＥＣの契約者ＡＰであって、かつ購入者ＢＹであるＡさんの契約者識別情報ＡＩＤが「１１０１」である。また、ポイント情報ＰＩ１に含まれるポイント数情報ＰＣＩであって、Ａさんが付与されるポイントの数を示すポイント数情報ＰＣＩは、「１００」である。また、供給者ＥＣの契約者ＡＰであって、かつ購入者ＢＹであるＢさんの契約者識別情報ＡＩＤが「１１０２」である。また、ポイント情報ＰＩ２に含まれるポイント数情報ＰＣＩであって、Ｂさんが付与されるポイントの数を示すポイント数情報ＰＣＩは、「５０」である。
【００２９】
［ポイント付与システムの動作について］
以下、図５を参照して、ポイント付与システム１の動作について説明する。
図５は、本実施形態のポイント付与システム１の動作の一例を示す流れ図である。
管理装置２０が備える機器情報取得部２０１は、電気機器ＥＱから電気機器情報ＥＩを取得する（ステップＳ１１０）。機器情報送信部２０２は、機器情報取得部２０１が取得した電気機器情報ＥＩをポイント付与装置１０に送信する（ステップＳ１２０）。
ポイント付与装置１０が備える付与装置受信部１０１は、管理装置２０が送信する電気機器情報ＥＩを受信する（ステップＳ１３０）。ポイント情報取得部１０２は、付与装置受信部１０１が受信する電気機器情報ＥＩに基づいて、購入情報サーバＳＶ１からポイント情報ＰＩを取得する（ステップＳ１４０）。ポイント付与部１０３は、ポイント情報取得部１０２が取得するポイント情報ＰＩに基づいて、購入者ＢＹにポイントを付与する（ステップＳ１５０）。
【００３０】
［第１実施形態のまとめ］
以上説明したように、本実施形態のポイント付与システム１が備える管理装置２０は、購入者ＢＹが購入する電気機器ＥＱが購入者ＢＹの家屋Ｈにおいて使用されることに応じて、電気機器情報ＥＩをポイント付与装置１０に送信する。ポイント付与装置１０は、管理装置２０から電気機器情報ＥＩを取得する。ポイント付与装置１０は、取得した電気機器情報ＥＩに基づいて、購入情報サーバＳＶ１から電気機器情報ＥＩが示す電気機器ＥＱのポイント情報ＰＩを取得する。また、ポイント付与装置１０は、ポイント情報ＰＩに含まれる情報のうち、ポイント数情報ＰＣＩが示すポイントの数を購入者ＢＹに付与する。
本実施形態のポイント付与システム１によれば、電気機器ＥＱの購入者ＢＹは、家屋Ｈにおいて当該電気機器ＥＱをコンセントＰＧに接続し、使用することにより、電気機器ＥＱに付されるポイントを取得することができる。
【００３１】
ここで、電気機器ＥＱに付されるポイントは、電気機器ＥＱ毎に異なる場合がある。上述したように、ポイントは、家電量販店ＥＳにおいて電気機器ＥＱを購入する際の支払いや、電力の使用料金の支払いに使用することができる場合がある。この場合、購入者ＢＹは、多くのポイントを取得することを目的として、多くのポイントが付された電気機器ＥＱを購入する場合がある。
本実施形態のポイント付与システム１によれば、数量を多く販売したい電気機器ＥＱに多くのポイントを付すことによって、購入者ＢＹに電気機器ＥＱの購入を促すことができる。
また、本実施形態のポイント付与システム１によれば、省エネルギーで動作する電気機器ＥＱに多くのポイントを付すことによって購入者ＢＹに省エネルギーの電気機器ＥＱの購入及び使用を促すことができる。
【００３２】
また、本実施形態のポイント付与システム１では、ポイントとは、購入者ＢＹの電力使用料金の支払いに使用されるポイントである。
ここで、電気機器ＥＱには、管理装置２０が当該電気機器ＥＱが使用する電力の使用状況を収集できる電気機器ＥＱと、収集できない電気機器ＥＱとが存在する。供給者ＥＣである電力供給会社は、管理装置２０が電気機器ＥＱが使用する電力の使用状況を収集できる電気機器ＥＱが普及することによって、契約者ＡＰが家屋Ｈにおいて使用する電力に関する情報を収集することができる場合がある。供給者ＥＣは、契約者ＡＰが使用する電力に関する情報を収集することによって、契約者ＡＰが使用する電力の傾向を知ることができる場合がある。
供給者ＥＣは、契約者ＡＰが使用する電力の傾向を知ることができる場合には、電力の傾向を知ることができない場合と比較して、将来の発電量を計画し易くなる。したがって、供給者ＥＣには、契約者ＡＰが使用する電力に関する情報を収集することができる電気機器ＥＱを普及することが求められる場合がある。
本実施形態のポイント付与システム１によれば、管理装置２０が電力の使用状況を収集できる電気機器ＥＱに多くのポイントを付すことによって、購入者ＢＹに当該電気機器ＥＱの普及を促すことができる。
また、供給者ＥＣは、電気機器ＥＱに付されるポイントが購入者ＢＹの電力使用料金の支払いに使用されることにより、ポイントが使用されることに伴う金銭の収受を電力使用料金によって処理することができるので、他の金融機関等を使用する手間を低減することができる。
【００３３】
［第２実施形態］
第１実施形態では、ポイントを付与する仕組みを利用する供給者ＥＣが、ある１つの供給者ＥＣである場合について説明した。
第２実施形態では、ポイントを付与する仕組みを利用する供給者ＥＣが、複数の供給者ＥＣであって、電気機器ＥＱを購入した購入者ＢＹは、エネルギーの使用契約を結ぶ供給者ＥＣに応じて当該電気機器ＥＱの購入に応じたポイントを付与される点において、第１実施形態とは異なる。
以下、図を参照して本発明の第２実施形態について説明する。
なお、上述した第１実施形態と同様の構成については、同一の符号を付してその説明を省略する。
【００３４】
図６は、本実施形態のポイント付与システム２の概要を示す図である。
図６に示す通り、本実施形態のポイント付与システム２は、ポイント付与装置１１と、管理装置２１とを備える。
ポイント付与装置１１と、管理装置２１と、家電量販店ＥＳとは、情報の送受信が可能なネットワークＮを介して接続される。
本実施形態の管理装置２１は、電気機器情報ＥＩの他、Ａさんが家屋Ｈで使用する電力の供給者ＥＣに関する情報である供給者情報ＥＣＩをポイント付与装置１１に送信する。
【００３５】
［ポイント付与システムの構成について］
以下、図を参照してポイント付与システム２の構成について説明する。
図７は、本実施形態のポイント付与システム２の構成の一例を示す図である。
本実施形態の管理装置２１は、制御部２１０を備える。制御部２１０は、ＣＰＵを備えており、機器情報取得部２０１と、機器情報送信部２０２と、供給者情報送信部２０３とをその機能部として備える。
供給者情報送信部２０３は、家屋Ｈに居住するＡさんが契約する供給者ＥＣを示す供給者情報ＥＣＩをポイント付与装置１１に送信する。
ここで、家屋Ｈに電力を供給することが可能な供給者ＥＣが複数存在する場合がある。供給者情報ＥＣＩとは、複数存在する供給者ＥＣのうち、家屋Ｈに居住する契約者ＡＰが契約する供給者ＥＣを示す情報である。具体的には、複数の供給者ＥＣには、予め供給者ＥＣを識別する識別情報が定められており、供給者情報ＥＣＩとは、ある供給者ＥＣを識別する識別情報である。
【００３６】
本実施形態のポイント付与装置１１は、制御部１１０を備える。制御部１１０は、ＣＰＵを備えており、付与装置受信部１０１と、ポイント情報取得部１０２と、ポイント付与部１０３と、供給者情報取得部１１１と、付与判定部１１２とをその機能部として備える。
供給者情報取得部１１１は、管理装置２１から送信される供給者情報ＥＣＩを取得する。供給者情報取得部１１１は、管理装置２１から取得した供給者情報ＥＣＩを付与判定部１１２に供給する。
付与判定部１１２は、供給者情報取得部１１１から供給者情報ＥＣＩを取得する。付与判定部１１２は、供給者情報ＥＣＩに基づいて、ポイントを購入者ＢＹに付与するか否かを判定する。例えば、付与判定部１１２は、供給者情報ＥＣＩが示す供給者ＥＣが、ある供給者ＥＣを示す場合、ポイント情報ＰＩが示すポイントを購入者ＢＹに付与すると判定する。ある供給者ＥＣとは、例えば、購入者ＢＹに電気機器ＥＱの購入を促すことを目的として、当該電気機器ＥＱにポイントを付すため家電量販店ＥＳに出資する供給者ＥＣである。付与判定部１１２は、購入者ＢＹにポイントを付与するか否かを示す判定結果ＪＲをポイント付与部１０３に供給する。
【００３７】
ポイント付与部１０３は、ポイント情報取得部１０２からポイント情報ＰＩを取得する。また、ポイント付与部１０３は、付与判定部１１２から判定結果ＪＲを取得する。ポイント情報取得部１０２は、判定結果ＪＲが購入者ＢＹにポイントを付与することを示す場合、ポイント情報ＰＩに基づいて購入者ＢＹにポイントを付与する。上述した通り、家屋Ｈに電力を供給することが可能な供給者ＥＣは、複数存在する。このため、契約者ポイント情報ＰＮには、当該複数の供給者ＥＣと契約する契約者ＡＰの契約者識別情報ＡＩＤと、ポイント数情報ＰＣＩとを関連づけた情報を契約者ポイント情報ＰＮが記憶される。ポイント付与部１０３は、ポイント情報ＰＩに基づいて、記憶部３００に契約者ポイント情報ＰＮを記憶させる。
【００３８】
［第２実施形態のまとめ］
以上説明したように、本実施形態のポイント付与システム２が備える管理装置２１は、電気機器情報ＥＩと、供給者情報ＥＣＩとをポイント付与装置１１に供給する。ポイント付与装置１１は、取得した電気機器情報ＥＩと、供給者情報ＥＣＩとに基づいて、購入者ＢＹにポイントを付与するか否かを判定する。
【００３９】
ここで、ポイントが電力の使用料金の支払いに使用される場合であって、電力を供給すする供給者ＥＣが複数存在する場合がある。この場合、電気機器ＥＱに付されるポイントに出資する供給者ＥＣは、当該供給者ＥＣが供給する電力以外の電力の使用料金の支払いにポイントが使用されることを意図しない場合がある。
本実施形態のポイント付与システム２によれば、購入者ＢＹが購入した電気機器ＥＱに付されるポイントを特定の供給者ＥＣと契約する契約者ＡＰのみに付与することができる。
また、本実施形態のポイント付与システム２によれば、特定の供給者ＥＣと契約していない契約者ＡＰがポイントを付与されるために、特定の供給者ＥＣと契約することを促すことができる。
【００４０】
なお、上述では、購入者ＢＹと契約者ＡＰとが同一である場合について説明したが、これに限られない。例えば、家電量販店ＥＳで電気機器ＥＱを購入する購入者ＢＹが当該電気機器ＥＱを他者に贈答した場合がある。この場合、電気機器ＥＱを贈答された他者が電気機器ＥＱをコンセントＰＧに接続し、電気機器ＥＱを使用することに伴って、電気機器ＥＱを贈答した購入者ＢＹにポイントが付与されてもよい。電気機器ＥＱが贈答された他者が電気機器ＥＱに供給される電力の供給者ＥＣと契約する契約者ＡＰである場合、当該他者にポイントが付与されてもよい。
【００４１】
また、上述では、家屋Ｈには、ある特定の供給者ＥＣが電力を供給する場合について説明したが、これに限られない。例えば、家屋Ｈは、複数の供給者ＥＣから電力の供給を受ける契約をしていてもよい。この場合、電気機器ＥＱが接続されるコンセントＰＧに供給される電力の供給者ＥＣと、ポイント付与装置１１が備える付与判定部１１２が判定するある供給者ＥＣとが同一の供給者ＥＣである場合、家屋Ｈの契約者ＡＰにポイントが付与されてもよい。
【００４２】
また、上述では、ポイント付与システム１は、ポイント付与装置１０及び管理装置２０を備え、ポイント付与システム２は、ポイント付与装置１１及び管理装置２０を備える場合について説明したが、これに限られない。ポイント付与システム１は、例えば、機器情報取得部２０１と、ポイント情報取得部１０２と、ポイント付与部１０３とを備える装置によって構成されてもよい。また、ポイント付与システム２は、例えば、機器情報取得部２０１と、ポイント情報取得部１０２と、ポイント付与部１０３と、供給者情報取得部１１１と、付与判定部１１２とを備える装置によって構成されてもよい。
【００４３】
また、上述では、購入者ＢＹが家電量販店ＥＳで電気機器ＥＱを購入する場合について説明したが、これに限られない。購入者ＢＹは、インターネットを介したネット通販等によって電気機器ＥＱを購入してもよい。
【００４４】
また、電気機器ＥＱの購入者ＢＹがポイントを取得する構成に代えて、電気機器ＥＱの購入者ＢＹが当該購入者ＢＹの家屋Ｈにおいて使用可能な電力量が付与される構成であってもよい。
この場合、ポイント付与システム１又はポイント付与システム２は、電気機器ＥＱの購入者ＢＹにポイントを付与する構成に代えて、当該購入者ＢＹの家屋Ｈにおいて使用可能な電力量を付与してもよい。
【００４５】
また、上述では、供給者ＥＣがポイントを付すために家電量販店ＥＳに出資する場合について説明したが、これに限られない。ポイントは、供給者ＥＣ以外の会社が出資してもよい。この場合、ポイント付与システム１は、ポイントを出資する出資会社によって付与されるポイントを購入者ＢＹに付与してもよい。また、ポイント付与システム２は、購入者ＢＹが出資会社の所望する供給者ＥＣの契約者ＡＰである場合、当該購入者ＢＹに付与してもよい。
【００４６】
なお、上記の各実施形態におけるポイント付与システム１及びポイント付与システム２が備える各部は、専用のハードウェアにより実現されるものであってもよく、また、メモリおよびマイクロプロセッサにより実現させるものであってもよい。
【００４７】
なお、ポイント付与システム１及びポイント付与システム２が備える各部は、メモリおよびＣＰＵ（中央演算装置）により構成され、ポイント付与システム１及びポイント付与システム２が備える各部の機能を実現するためのプログラムをメモリにロードして実行することによりその機能を実現させるものであってもよい。
【００４８】
また、ポイント付与システム１及びポイント付与システム２が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００４９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００５０】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００５１】
１、２…ポイント付与システム、１０、１１…ポイント付与装置、２０、２１…管理装置、１００…制御部、１０１…付与装置受信部、１０２…ポイント情報取得部、１０３…ポイント付与部、１１０…制御部、１１１…供給者情報取得部、１１２…付与判定部、２００…制御部、２０１…機器情報取得部、２０２…機器情報送信部、２０３…供給者情報送信部、２１０…制御部、３００…記憶部、ＥＣ…供給者、ＡＰ…契約者、ＢＹ…購入者、Ｈ…家屋、ＥＱ…電気機器、ＰＧ…コンセント、ＥＳ…家電量販店、ＳＬ…販売履歴情報、ＳＶ１…購入情報サーバ、ＥＩ…電気機器情報、ＰＩ、ＰＩ１、ＰＩ２…ポイント情報、ＥＣＩ…供給者情報
【図１】
2018041371.tif 000003
【図２】
2018041371.tif 000004
【図３】
2018041371.tif 000005
【図４】
2018041371.tif 000006
【図５】
2018041371.tif 000007
【図６】
2018041371.tif 000008
【図７】
2018041371.tif 000009